(57)【特許請求の範囲】
【請求項１】
内視鏡本体に、照明光を導くためのライトガイドファイバを設けると共に、フィラメントを有した形式のランプを備えた光源部の光を前記ライトガイドファイバの入射端面に入射させるようにした内視鏡装置において、
前記ライトガイドファイバの入射端面の形状を、前記ランプのフィラメントの形状と略同形に形成し、前記ライトガイドファイバの入射端面を、前記ランプのフィラメントの投影像の形状の向きに合わせて配置したことを特徴とする内視鏡装置。
【発明の詳細な説明】
【０００１】
【発明の属する技術分野】
本発明は、照明光を導くためのライトガイドファイバを有し、このライトガイドファイバの入射端面に、光源部のランプ光を入射させるようにした内視鏡装置に関する。
【０００２】
【従来の技術】
従来、ランプを点灯させるための電源に乾電池を使用した光源を内視鏡本体に装着するようにした、いわゆるバッテリー内蔵式光源付内視鏡という方式の内視鏡装置が知られている。この種のバッテリー内蔵式光源付内視鏡は床設置式の大掛かりな光源装置が不要であるために携帯性に優れている。
【０００３】
【発明が解決しようとする課題】
この種のバッテリー内蔵式光源付内視鏡装置は携帯性に優れているものの、電源及びランプの能力が小さく、このため、発光量が少ないという問題点がある。従って、ランプから放射された光を、できるだけ効率良く、内視鏡本体に設けられたライトガイドの入射端面に入射させるようにする必要がある。
【０００４】
一般に、内視鏡のライトガイドファイバの入射端面は円形な形状をしており、その面積は内視鏡の挿入部の外径・チャンネル及びイメージガイド等とのバランスによって制約を受け、ある程度決まった面積のものにしかならない。一方、ライトガイドファイバの入射端面に投影させるランプの投影像はそのフィラメントの形に対応した長方形に近い形をしている。
【０００５】
つまり、図１２で示す如く、ライトガイド口金ａに配設されたライトガイドファイバの入射端面ｂの形状は円形であり、フィラメントの投影像ｃの形状は長方形に近い形であり、両者ａ，ｂの形状は一致せず、一部の範囲のみが重なり合う関係になる。従って、ランプのフィラメントから発生する光を効率的にライトガイドファイバの入射端面に集められないために入射効率が悪いものであった。
【０００６】
本発明は、上述した点に着目したものであり、ランプのフィラメントから発生する光を、効率的にライトガイドファイバ入射端面に入射させ、照明光の明るい内視鏡装置とすることを目的とする。
【０００７】
【課題を解決するための手段】
本発明は、内視鏡本体に、照明光を導くためのライトガイドファイバを設けると共に、フィラメントを有した形式のランプを備えた光源部の光を前記ライトガイドファイバの入射端面に入射させるようにした内視鏡装置において、前記ライトガイドファイバの入射端面の形状を、前記ランプのフィラメントの形状と略同形に形成し、前記ライトガイドファイバの入射端面を、前記ランプのフィラメントの投影像の形状の向きに合わせて配置したことを特徴とする。
したがって、光源部におけるランプのフィラメントから発生した光が、ライトガイドファイバの入射端面に効率良く入射し、照明光の明るさが高まる。
【０００８】
【発明の実施の形態】
［第１の実施形態］
図１、図２及び図３を参照して、本発明の第１の実施形態を説明する。
（構成）
図１は第１の実施形態に係る内視鏡装置の概略的な全体構成の説明図である。内視鏡装置１は大きく分けて内視鏡本体２とポータブル形式のバッテリー内蔵式光源部３に分けられる。内視鏡本体２は操作部４と挿入部５とからなり、操作部４は挿入部５の基端に接続されている。操作部４には接眼部６、鉗子挿入口７、湾曲操作ノブ８等が設けられている。さらに、操作部４の側面にはバッテリー内蔵式光源部３を脱着可能に接続するためのコネクタ部９が設けられている。
【０００９】
コネクタ部９の内部にはライトガイド口金１１を有し、このライトガイド口金１１にはライトガイドファイバ１２の入射端部分が内装されている。ライトガイドファイバ１２は複数のファイバ素子を束ねて形成されている。このライトガイドファイバ１２はライトガイド口金１１から操作部４及び挿入部５にわたりその内視鏡本体２内に配置されている。そして、ライトガイドファイバ１２によって、バッテリー内蔵式光源部３から受けた照明光を導き、挿入部５の先端から照明光を出射させるようなっている。
【００１０】
さらに、内視鏡本体２には図２に示すように、イメージガイドファイバ１３とチャンネルチューブ１４とが内装されている。チャンネルチューブ１４はその一端を前記鉗子挿入口７に接続し、他端を挿入部５の先端に開口した鉗子口１５に接続してあり、この内腔によって鉗子チャンネルを形成している。イメージガイドファイバ１３は複数のファイバ素子を束ねてなり、その一端は前記接眼部６に接続され、そのイメージガイドファイバ１３の他端は挿入部５の先端にある対物レンズ１６に接続されている。
【００１１】
前記ライトガイドファイバ１２は挿入部５内では複数、ここでは２本に分岐しており、それぞれのライトガイドファイバ部１２ａ，１２ｂは別々の外装チューブ１７ａ，１７ｂによってそれぞれ被覆されている。また、分岐した各ライトガイドファイバ部１２ａ，１２ｂの先端はそれぞれ挿入部５の先端に設けられた照明窓１８ａ，１８ｂに別々に接続されている。ライトガイドファイバ１２の基端側部分は操作部４内で１本の外装チューブ１９内にまとめられている。つまり、ライトガイドファイバ１２は挿入部５内では図２（ｂ）で示す如く、各ライトガイドファイバ部１２ａ，１２ｂに分かれ、それぞれが円形にまとめられており、これらの各ライトガイドファイバ部１２ａ，１２ｂは挿入部５内に他のイメージガイドファイバ１３やチャンネルチューブ１４と共に内蔵されている。
【００１２】
これは挿入部５内には複数の内蔵物が配置され、配置上の制約が大きいため、ライトガイドファイバ１２を複数に分岐し、他の内蔵物の間のスペースを有効に利用して図２（ｂ）で、斜線部で示す如く配置するようにした。この結果、ライトガイドファイバ１２のファイバ素子の本数（断面積）を大きくできる。
一方、操作部４内でのライトガイドファイバ１２は設置スペースに余裕があるので、図２（ｃ）で示す如く、円形に１本にまとめられている。
【００１３】
さらに、ライトガイドファイバ１２の入射端部分は前記コネクタ部９のライトガイド口金１１に内装されている。そして、ライトガイドファイバ１２の複数のファイバ素子が図２（ｄ）で示す如く、縦に長い長方形に近い形で配列され、かつ他の部分、特に操作部４や挿入部５の中空部内においての充填率と同じか若しくは若干高い充填率で配置されることにより入射端面２１を形成している。
【００１４】
バッテリー内蔵式光源部３はケース本体２３を有し、このケース本体２３には内視鏡本体２のコネクタ部９に接続される係着部２４が設けられている。係着部２４は前記コネクタ部９に被嵌する筒状の口部２５を有し、この口部２５には係合溝２６が形成されている。係合溝２６は口部２５の先端に開口する入り口とその入り口から連続し、かつ屈曲してその口部２５の周方向に延びる係止用溝部分から形成されている。この接続手段を利用して、内視鏡本体２にバッテリー内蔵式光源部３を接続するとき、係合溝２６にコネクタ部９の外周に突設した係止ピン２７を入り口から係止用溝部分に嵌め込み、コネクタ部９に口部２５を被嵌し、さらに係止ピン２７が係止用溝部分の終端に位置するまでケース本体２３を回転して図１で示す如く係合させるようになっている。この係合部の構造によってバッテリー内蔵式光源部３を内視鏡本体２に装着した完了位置において、内視鏡本体２に対するバッテリー内蔵式光源部３の回転方向の向きは一定に決まるようになっている。また、バッテリー内蔵式光源部３はその口部２５をコネクタ部９から外せるものである。つまり、バッテリー内蔵式光源部３は内視鏡本体２のコネクタ部９に対して脱着自在である。
【００１５】
バッテリー内蔵式光源部３はそのケース本体２３内に、ランプ２８と、集光レンズ２９と、ランプ２８を点灯させるための電源としての図示しない乾電池または充電式電池等のバッテリーとが内蔵されている。内視鏡装置１のコネクタ部９にバッテリー内蔵式光源部３を接続したとき、ランプ２８の光は集光レンズ２９によりライトガイドファイバ１２の入射端面２１に集光させられて投影するようになっている。
【００１６】
ライトガイドファイバ１２の入射端部分は前述した如くライトガイド口金１１で固定されるが、そのライトガイドファイバ１２の入射端面２１は図３（ｂ）に示すように縦に長い長方形に近い形で形成されている。この入射端面２１の形状は前記バッテリー内蔵式光源部３のランプ２８におけるフィラメント３１が縦に長い長方形に近い形で形成されていることに対応するものである。
【００１７】
ランプ２８はフィラメント３１から発生する光を前方へほぼ平行光になるように屈折させるための凸レンズからなるレンズ部３２が一体的に形成された、いわゆるレンズランプである。ランプ２８の後端には電源接続用接点部であるバイピン３３が設けられている。このランプ２８を点灯させると、その光がレンズ部３２で前方へほぼ平行な光になり、集光レンズ２９により集光させられ、ライトガイドファイバ１２の入射端面２１に入射（投射）させられるようになっている。
【００１８】
ここで、前記フィラメント３１の長手方向とバイピン３３の配列方向は一致するように位置決めされている。さらに、バッテリー内蔵式光源部３は内視鏡本体２のコネクタ部９に対して接続されたとき、その接続手段はその両者の回転方向の位置決めを行うから、ランプ２８のフィラメント３１の長手方向とライトガイドファイバ１２の入射端面２１の長手方向が一致するようになっている。そして、ライトガイドファイバ１２の入射端面２１の形状は、これに投影する前記光源部３のランプ２８のフィラメント３１の投影像に近い長方形の略同形に形成され、その入射端面２１と投影像の両者の位置と大きさが略合うように形成されている。
【００１９】
（作用）
内視鏡装置１のコネクタ部９に対してバッテリー内蔵式光源部３を装着した際、ランプ２８のフィラメント３１から発生する光はそのランプ２８のレンズ部３２を通り、ここで略平行光になり、その後、集光レンズ２９により集光され、ライトガイドファイバ１２の入射端面２１に投射される。このとき、フィラメント３１の形状が図３（ｃ）に示す如く、縦に長い略長方形の形をしているため、その投影像３４は図２（ｄ）の斜線部分で示されるように、縦に長い略長方形の形となる。図３（ｃ）はランプ２８を集光レンズ２９側から光軸方向に向かって見た図である。
【００２０】
一方、ライトガイドファイバ１２の入射端面２１も同じように縦に長い長方形の形である。入射端面２１の領域とフィラメント投影像３４の領域は同じような形状と大きさでほぼ一致しており、従って、ランプ２８のフィラメント３１からの光をライトガイドファイバ１２の入射端面２１に、非常に効率良く入射させることができる。
【００２１】
ファイバ素子の数が同じである場合、入射端面２１の形状をフィラメント投影像３４の形状に合わせた方が、ファイバ素子の充填率を低くしてライトガイドファイバ１２の入射端面２１を円形に広げる場合に比べて、入射効率がよい。ここで、仮に、入射端面２１におけるファイバ素子の充填率を低くし、単に入射端面２１の面積を大きくすると、ライトガイドファイバ１２のコアー以外の領域部分に照射される光の量の割合が大きくなり、入射光の無駄が多くなり、入射効率が悪くなる。この実施形態のように、ファイバ素子の数が同じである場合、ファイバ素子の充填率を低くすることなく、入射端面２１の形状をフィラメント投影像３４の形状に合わせた方が入射効率がよくなる。
挿入部５内では複数の内蔵物が配置され、ライトガイドファイバ１２を配置する上で大きな制約がある。つまり、ライトガイドファイバ１２のファイバ素子の本数を増やして、ライトガイドファイバ１２の断面積を大きくすることはこれ以上、困難であるが、本発明ではその制限されたライトガイドファイバ１２の本数と断面積を有効に利用してランプ２８からの入射効率を高めることができる。
【００２２】
（効果）
本実施形態によれば、簡単な構造でありながら断面積が小さく制限されたライトガイドファイバ１２の入射端面２１であっても、ランプ２８のフィラメント３１から発生する光を、その入射端面２１に効率よく入射させることができる。つまり、細いライトガイドファイバ１２でその断面積が小さいものであっても、照明光の明るい内視鏡装置を提供することができる。従って、特に挿入部５が細く、大きなチャンネルチューブ等の他の内蔵物を有した内視鏡においても、また、バッテリー内蔵式光源付内視鏡装置の如く、光源の発光量の少ない内視鏡装置においても、照明光の明るい内視鏡装置を提供することができる。
【００２３】
また、本実施形態での如く、携帯型のバッテリー内蔵式光源付内視鏡装置の場合のように、光源の発光量が少なく、かつ光源からの投影光を略円形にするためのリフレクターやレンズ等の部材を配置することが、スペース的及び重量的に厳しいものにとってはきわめて有効なものである。
［第２の実施形態］
図４及び図５を参照して、本発明の第２の実施形態を説明する。
（構成）
この第２実施形態は第１実施形態におけるバッテリー内蔵式光源部３を変形した例であり、その他は第１実施形態のものと同様に構成されている。ここでのバッテリー内蔵式光源部３は筒状のケース本体２３の外周面部に、そのケース本体２３の軸まわりに回転する光量調整環４１を設けた。内視鏡装置の外装から露出する光量調整環４１の外周面にはその光量調整部材を回転操作する際のすべり止め用凹凸を形成してなるツマミ部４２が形成されている。光量調整環４１はケース本体２３内のランプ２８に連結されている。そして、光量調整環４１を回転させると、図５（ａ）に示す如く、ランプ２８がその光軸まわりに回転して、フィラメント投影像３４が回転し、ライトガイドファイバ１２の入射端面２１に入射する光量を調整する光量調整手段を構成している。照明ケース本体２３の外周面には光量調整環４１の回転量を指示する目盛４３が付設されている。
【００２４】
また、内視鏡本体２のコネクタ部９にバッテリー内蔵式光源部３を接続する接続手段はその両者を接続する際に回転方向を位置決めするように設けられており、光量調整環４１の指標４４が前記目盛４３の「ＭＡＸ」を指すときに、ライトガイドファイバ１２の入射端面２１とフィラメント投影像３４が一致するように位置決めがなされるようになっている。図５（ａ）に示す如く、フィラメント投影像３４が図５（ｂ）及び図５（ｄ）のように回転する。その他は前述した第１実施形態のものと同様である。
【００２５】
（作用）
光量調整環４１を回転して目盛４３の「ＭＩＮ」の位置に指標４４を合わせると、フィラメント３１が図５（ｃ）に示す如く状態に位置決めされるため、その投影像３４は図５（ｂ）で示す如く、入射端面２１の長手方向に直交する状態となる。このとき、ライトガイドファイバ１２の入射端面２１とランプ２８のフィラメント投影像３４は一致しないため、ランプ２８のフィラメント３１から発生する光の全てがライトガイドファイバ１２の入射端面２１に入射しない。従って、ライトガイドファイバ１２への入射割合が低下し、内視鏡本体２の先端から出射する照明光は暗くなる。
【００２６】
次に、光量調整環４１をその位置から９０度回転して目盛４３の「ＭＡＸ」の位置に合わせると、フィラメント投影像３４は図４（ｄ）の状態となる。つまり、入射端面２１の長手方向に、ライトガイドファイバ１２の入射端面２１の向きが一致し、さらにフィラメント投影像３４が入射端面２１の領域に重なるため、ランプ２８から発生する光がライトガイドファイバ１２の入射端面２１に効率的に入射し、内視鏡本体２から出射する照明光は明るくなる。
【００２７】
（効果）
本実施形態によれば、前述した第１実施形態の効果に加えて、簡単な構成で照明光の入射光量を調整することが可能となる。
【００２８】
［第３の実施形態］
図６及び図７を参照して、本発明の第３の実施形態を説明する。
（構成）
この第３実施形態は第１実施形態におけるコネクタ部９の変形例を示すものである。コネクタ部９にはライトガイドファイバ１２の入射端部分を保持したライトガイド口金１１が回転可能に組み込まれており、光量調整環５１によりコネクタ部９内に回動自在に設けたライトガイド口金１１を回転操作できるようにしたものである。光量調整環５１にはツマミ部５２と指標（図示せず）が設けられている。コネクタ部９には光量調整環５１の回転量を指示する目盛５３が付設されている。
【００２９】
尚、ライトガイド口金１１を必要以上に回転させると、ライトガイドファイバ１２が内部でねじ切れる可能性があるため、そのライトガイド口金１１は９０度までしか回転しない規制手段を付設した構造となっている。
【００３０】
（作用）
光量調整環５１を回すと、図７（ａ）に示す矢印の向きに、ライトガイド口金１１が回転し、ライトガイドファイバ１２の入射端面２１が回転して図７（ｂ）及び同図（ｄ）のような位置を選択することができる。そこで、光量調整環５１を回転して、その指標を目盛５３の「ＭＩＮ」の位置に合わせると、図７（ｂ）で示す如く、フィラメント投影像３４に対して入射端面２１の長手方向が直交する状態となる。このとき、ライトガイドファイバ１２の入射端面２１とランプ２８のフィラメント投影像３４は直交しており、一部しか一致しないため、ランプ２８のフィラメント３１から発生する光の一部しかライトガイドファイバ１２の入射端面２１に入射しない。従って、ライトガイドファイバ１２への入射割合が低下し、内視鏡本体２の先端から出射する照明光は暗くなる。
【００３１】
次に、その位置から光量調整環５１を９０度回転して目盛５３の「ＭＡＸ」の位置に指標を合わせると、フィラメント投影像３４は図７（ｄ）の状態となる。このとき、入射端面２１の長手方向とランプ２８のフィラメント投影像３４の長手方向が一致し、フィラメント投影像３４の全体が入射端面２１の領域に重なる。つまり、入射端面２１の向きとフィラメント投影像３４の向きが一致し、全体的領域が重なり合うため、ランプ２８から発生する光がライトガイドファイバ１２の入射端面２１に効率的に入射し、内視鏡本体２から出射する照明光は明るくなる。
【００３２】
（効果）
本実施形態によれば、前述した第１実施形態の効果に加えて、簡単な構成で照明光の入射光量を調整することが可能となる。
【００３３】
尚、従来、光量を調整する際、床設置型光源装置に設けられた操作パネルによって、光量を調整していたのに対し、本実施形態では内視鏡の操作部周辺に設けられたバッテリー内蔵式光源部３の光量調整環５１を回転させることによって、光量調整が可能となり、より容易に光量調整を行うことができる。
【００３４】
［第４の実施形態］
図６及び図８を参照して、本発明の第４の実施形態を説明する。
（構成）
この実施形態では前述した第３の実施形態と同様、内視鏡本体１のコネクタ部９に光量調整環５１を設けるが、この場合の光量調整環５１はライトガイド口金１１ではなく、図８で示す如く、ライトガイドファイバ１２の入射端面２１に近接または略接触して設けられた遮光板６１に連結され、ライトガイドファイバ１２の中心軸まわりに遮光板６１を回転させるようにしたものである。遮光板６１はほぼライドガイドファイバ１２の入射端面２１と略同じ形状としたスリット６２が設けられている。スリット６２は入射端面２１のものより長くてもよい。
【００３５】
（作用）
光量調整環５１を目盛５３の「ＭＩＮ」に合わせると、スリット６２が図８の（ｅ）の状態となる、このとき、遮光板６１はランプ２８のフィラメント３１からの光をほとんど遮光してしまうため、図８（ｂ）に示すように、ライトガイドファイバ１２の入射端面２１には僅かな光しか入射しない。従って、内視鏡本体２から出射する照明光は暗くなる。
【００３６】
次に、光量調整環５１を回転して目盛５３の「ＭＡＸ」に合わせると、遮光板６１は９０度回転して図８（ｄ）に示す状態になる。このとき、フィラメント３１から出射する光は遮光板６１のスリット６２を通り、略全てがライトガイドファイバ１２の入射端面２１に入射するため、内視鏡本体２から出射する照明光は明るくなる。
【００３７】
（効果）
本実施形態によれば、前述した第１実施形態の効果に加えて、簡単な構成で簡単に光量の調整をすることが可能となる。
【００３８】
［第５の実施形態］
図９を参照して、本発明の第５の実施形態を説明する。この実施形態は前述した内視鏡本体２のコネクタ部９の内部構造の変形例を示すものである。すなわち、コネクタ部９には光源部側から凹レンズ７１、凸レンズ７２を順に配置したものである。このような構成において、例えばリフレクタ７３のついているランプ２８を使用した場合、ランプ２８からの光はリフレクタ７３により反射し、広く大きな角度で凹レンズ７１に入射し、凹レンズ７１で入射した光を略平行光とし、集光用凸レンズ７２に入射させる。そして、凸レンズ７２に入射した平行光は、光軸中心方向に集光されて、ライトガイドファイバ１２の入射端面２１に入射するのである。
【００３９】
このような構成により、光源部３からの光を無駄にすることなく、広く大きな角度で取り入れることができ、かつ凸レンズ７２によって高い開口（ＮＡ）で光をライトガイドファイバ１２の入射端面２１に入射させることができるため、高い開口（ＮＡ）のライトガイドファイバ１２を使用することにより、内視鏡本体２の先端にレンズ等を配置しなくとも内視鏡先端からの照明範囲を広げることができる。
【００４０】
尚、前述したライトガイドファイバ１２の入射端面２１の形状は図１１（ａ）に示すように、略長方形のものとしてきたが、そのランプ２８のフィラメント３１の投影像（スポット）の形状によっては図１１（ｂ）に示すような楕円形や、図１１（ｃ）に示すような正方形のものでもよい。一般に、ランプのフィラメント、特にバッテリー内蔵式光源部の光源に使われるような小型のハロゲンランプのフィラメントとしては図１０（ａ）に示すようなＣ６型のフィラメントや図１０（ｂ）に示すような、Ｃ２Ｒ型のフィラメントが用いられる。
こういったフィラメントを用いた場合、一般的に、フィラメントの投影像は長方形となるため、図１１（ａ）のような長方形の形状の入射端面２１が好ましい。
【００４１】
但し、ランプ２８の先端にレンズ部が形成されているレンズランプの場合等にあってはフィラメント投影像が楕円状に変形することがあり、その場合、図１１（ｂ）に示すような楕円形の入射端面２１が好ましい。また、図１０（ｃ）に示すようなフィラメント投影像が略正方形になるＦＣ６Ｚ型のフィラメント３１の場合には図１１（ｃ）のような正方形の形状の入射端面２１が好ましい。
【００４２】
＜付記＞
１．ライトガイドファイバの入射端面の断面形状は、光源部のランプにおけるフィラメントの形状に対応し、フィラメントの投影像に近い略長方形であることを特徴とする付記項１に記載の内視鏡装置。
【００４３】
２．ライトガイドファイバの入射端面と前記光源部のランプの投影像との位置合わせをするための係合部を具備していることを特徴とする請求項１または付記項１記載の内視鏡装置。
【００４４】
３．ランプは、光出射端に凸レンズを一体的に形成したレンズランプであることを特徴とする請求項１、付記項１または付記項２に記載の内視鏡装置。
４．照明光量を調整する光量調整手段を具備することを特徴とする請求項１または付記項１に記載の内視鏡装置。
【００４５】
５．光量調整手段は、前記ライトガイドファイバに対して回転自在なランプと、前記ランプと連動し、内視鏡装置の外装から露出している光量調整部材とを有することを特徴とする付記項１〜４に記載の内視鏡装置。
【００４６】
６．光量調整位置手段は、前記ランプに対して回転自在な前記ライトガイドファイバと、前記ライトガイドファイバの入射端面と連動し、前記内視鏡装置外装から露出している光量調整部材とからなることを特徴とする付記項１〜４に記載の内視鏡装置。
【００４７】
７．ライトガイドファイバの入射端面と、光源部のランプのフィラメントを光軸方向から見たときに略重なって見えるように、前記ライトガイドファイバと前記ランプが配置されていることを特徴とする請求項１に記載の内視鏡装置。
【００４８】
９．ランプとライトガイドファイバとの間に配置され、光軸に対して回転自在な前記ランプの投影像と略同形の穴を有する遮光板を有することを特徴とする付記項７に記載の内視鏡装置。
【００４９】
１０．遮光板に連動し、内視鏡装置の外装から露出している光量調整部材とを具備していることを特徴とする付記項９に記載の内視鏡装置。
１１．内視鏡装置は、光源部に内蔵されるランプと、前記ランプに電源を供給する電池とを具備したバッテリー内蔵式光源付のものであることを特徴とする請求項１または付記項１〜１０に記載の内視鏡装置。
【００５０】
１２．ランプとライトガイドファイバとの間の、例えばコネクタ部に、前記ランプから順番に凹レンズと凸レンズとを配置したことを特徴とする請求項１または付記項１から付記項１０に記載の内視鏡装置。
【００５１】
【発明の効果】
本発明によれば、ランプから発生する光を効率的にライトガイドファイバ入射端面に入射させることができるため、少ないライトガイドファイバ本数、つまりライトガイドファイバの断面積が小さい内視鏡であっても、照明光の明るい内視鏡装置を提供することができる。
【００５２】
従って、挿入部が細く、大きなチャンネルを有した内視鏡においても、照明光の明るい内視鏡装置を提供することができる。また、バッテリー内蔵式光源式内視鏡のように、ランプの発光量の少ない内視鏡装置においても、照明光の明るい内視鏡装置を提供することができる。
【図面の簡単な説明】
【図１】第１の実施形態に係る内視鏡装置の概略的な構成の説明図。
【図２】（ａ）は第１の実施形態に係る内視鏡装置の挿入部の斜視図、（ｂ）は（ａ）中Ｂ−Ｂ線に沿う部分の断面図、（ｃ）は（ａ）中Ｃ−Ｃ線に沿う部分の断面図、（ｄ）は（ａ）中Ｄ−Ｄ線に沿う部分の断面図。
【図３】第１の実施形態に係り、（ａ）は内視鏡本体のコネクタ部と光源部の構成を概略的に示す説明図、（ｂ）はライトガイドファイバの入射端面の説明図、（ｃ）はランプを示す説明図。
【図４】第２の実施形態に係る内視鏡装置の概略的な構成の説明図。
【図５】第２の実施形態に係り、（ａ）は内視鏡本体のコネクタ部と光源部の構成を概略的に示す説明図、（ｂ）はライトガイドファイバの入射端面とフィラメント投影像との関係を示す説明図、（ｃ）はランプを示す説明図、（ｄ）はライトガイドファイバの入射端面とフィラメント投影像との他の関係を示す説明図。
【図６】第３の実施形態に係る内視鏡装置の概略的な構成の説明図。
【図７】第３の実施形態に係り、（ａ）は内視鏡本体のコネクタ部と光源部の構成を概略的に示す説明図、（ｂ）はライトガイドファイバの入射端面とフィラメント投影像との関係を示す説明図、（ｃ）はランプを示す説明図、（ｄ）はライトガイドファイバの入射端面とフィラメント投影像との他の関係を示す説明図。
【図８】第４の実施形態に係り、（ａ）は内視鏡本体のコネクタ部と光源部の構成を概略的に示す説明図、（ｂ）はライトガイドファイバの入射端面とフィラメント投影像との関係を示す説明図、（ｃ）はランプを示す説明図、（ｄ）はライトガイドファイバの入射端面とフィラメント投影像との他の関係を示す説明図、（ｅ）は遮光板の説明図。
【図９】第５の実施形態に係る内視鏡本体のコネクタ部分の断面図。
【図１０】ランプのフィラメントの形状の説明図。
【図１１】ライトガイドファイバの入射端面形状の説明図。
【図１２】従来例の説明図。
【符号の説明】
１…内視鏡装置、２…内視鏡本体、３…バッテリー内蔵式光源部、４…操作部、５…挿入部、９…コネクタ部、１２…ライトガイドファイバ、２１…入射端面、２８…ランプ、３１…フィラメント、３４…フィラメント投影像。
【図１】
0003684021.tif 000002
【図２】
0003684021.tif 000003
【図３】
0003684021.tif 000004
【図４】
0003684021.tif 000005
【図５】
0003684021.tif 000006
【図６】
0003684021.tif 000007
【図７】
0003684021.tif 000008
【図８】
0003684021.tif 000009
【図９】
0003684021.tif 000010
【図１０】
0003684021.tif 000011
【図１１】
0003684021.tif 000012
【図１２】
0003684021.tif 000013